(57)【特許請求の範囲】
【請求項１】
洗濯機本体に内包され衣類出入用の第１開口部を有する有底円筒状の水受け槽と、前記水受け槽に回転自在に内包され前記第１開口部に対応して開口する第２開口部と水平方向または水平方向から傾斜した回転軸とを有する有底円筒状の回転ドラムと、前記回転ドラムを回転駆動するモータと、前記水受け槽は、前記回転ドラムの回転に伴って前記水受け槽内を回転する洗濯水が入り込む取水口と、前記取水口と一端が連通する循環水路と、前記循環水路の他端と連通し前記回転ドラム内に洗濯水を吐出する吐出口とを備え、回転ドラム底部の外面側には回転ドラムを回転支持するドラム固定部材と、水受け槽底部側へ形成したリブを有する複数個の略円弧箱型のリブ取付部材とを有し、前記ドラム固定部材には前記リブ取付部材と連結するための延設部を形成し、前記リブ取付部材には前記延設部と連結するための延設リブ部を形成し、前記延設部が前記延設リブ部よりも前記水受け槽の底部側に位置するとともに前記延設リブ部が前記延設部よりも前記第１開口部側に位置するように、前記延設部と前記延設リブ部とを重ねて連結したことを特徴とするドラム式洗濯機。
【請求項２】
延設部はドラム固定部材の側面に形成されるとともに、前記延設部と延設リブ部とが対向する位置になるように配設され、前記延設部に位置決めピンと取り付けネジ用のボス穴をそれぞれ交互に配置し、前記延設リブ部に直径の異なる貫通穴を交互に配置した請求項１記載のドラム式洗濯機。
【請求項３】
リブ取付部材は、外壁に１個または複数個のボス穴を有し、該ボス穴に対応する回転ドラムの外周壁に小孔を設けた請求項１または２に記載のドラム式洗濯機。
【請求項４】
リブ取付部材の底部外側平面中央部に凸部を形成し、該凸部を回転ドラム底部に当接せしめるとともに、リブ取付部材の延設リブ部の内周側鉛直壁面部に三角リブを設けて、該三角リブをドラム固定部材にて押圧固定したことを特徴とする請求項１〜３のいずれか１項に記載のドラム式洗濯機。
【発明の詳細な説明】
【技術分野】
【０００１】
本発明は、水平方向もしくは斜め方向に回転軸を有する回転ドラム内で洗濯、すすぎ、脱水等の各行程を行うドラム式洗濯機に関するものである。
【背景技術】
【０００２】
図１１は、従来のドラム式洗濯機の縦断面図であり、以下図１１に従って、その構成を説明する。
【０００３】
外周に多数の水抜き用小孔１０８を形成した回転ドラム１０３を、その内部に回転自在に配設した水受け槽１０２は、外底部に回転ドラム１０３の駆動用のモータ１０４を固設し、かつ洗濯機本体である外箱１０１よりばね体１０９で揺動可能に垂下防振支持される。前記水受け槽１０２は上部に給水弁１０６から洗濯水供給用の給水ホース１１２を接続し、下方底部には排水弁１１３に接続する排水口１１４を形成する。回転ドラム１０３はその内部に衣類撹拌用の突起１０７を形成するとともに、衣類の出し入れを行う開口部１０３ａは、外箱１０１に開閉自在に配した蓋体１０５に対応している（例えば特許文献１参照）。
【０００４】
前記回転ドラム１０３の開口１０３ａと蓋体１０５に対応する水受け槽１０２の位置には第２の開口１０２ａを形成し、該第２の開口１０２ａと外箱１０１の前面の開口部との間には、略筒状のゴム等の可撓性材料にて構成されたパッキン部材１１５を配する。前記パッキン部材１１５は、水受け槽１０２の第２の開口１０２ａに水密的に固着され、かつ外箱１０１とは蓋体１０５が閉じた場合には水密的に当接する。
【０００５】
制御装置１１６は外箱１０１上部前面に配し、モータ１０４、給水弁１０６、排水弁１１３、などの動作を制御し洗濯、すすぎ、脱水などの一連の行程を逐次制御する制御手段と入力手段、表示手段などで構成されている。
【０００６】
上記構成においてその動作を説明すると、蓋体１０５を開き回転ドラム１０３内に洗濯物衣類を投入し電源スイッチ（図示せず）をオンした後、制御装置１１６に設けたスタートスイッチ（図示せず）を操作して運転を開始すると、給水弁１０６が動作して給水し、水位検知手段（図示せず）により所定の水位を検知すると給水停止し、モータ１０４を駆動する。洗濯行程では回転ドラム１０３は比較的低速回転し、内部の衣類は突起１０７等にて持ち上げられ適当な高さから落下しその衝撃力で洗濯されるいわゆるたたき洗いを行う。なお回転ドラム１０３の回転は、突起１０７の形状にもよるが、衣類の絡まりを少なくする為、正逆回転をさせるのが一般的である。
洗濯行程が終了すると、排水弁１１３を介して水受け槽１０２内の洗濯水を排水し、すすぎ行程に移行するが、すすぎ行程も回転ドラムの動きは洗濯行程とほぼ同様の動作を行うが、給水弁１０６などを動作させる注水すすぎ等を行う。脱水行程では、排水後回転ドラム１０３を高速回転させ、洗濯物の水分を遠心脱水する。
【０００７】
このような構成のドラム式洗濯機の特徴として、洗濯水量が少なくてすむという長所がある一方、洗濯物の自重落下による洗濯方式では撹拌力不足によることや、洗濯物に十分洗濯水を含まない状態洗濯行程を行うので、洗浄力の不足や、洗浄ムラさらに一定の洗浄力を確保するには行程に時間がかかるという課題があった。
【０００８】
これらの課題を解決するものとして、従来技術として水受け槽１０２内に溜まった洗濯水を循環ポンプで吸い上げ、回転ドラム内に戻すことにより洗濯物に洗濯水を十分に給水させて洗浄力を高める技術がある（例えば、特許文献２参照）。
【特許文献１】特開平０９−２１５８９４号公報
【特許文献２】特開平０９−２１５８９３号公報
【発明の開示】
【発明が解決しようとする課題】
【０００９】
しかしながら、前記従来の構成では、循環ポンプにより循環することができる水量は循環ポンプの能力に影響される為、洗濯物に洗濯水を十分に給水させるには大型の循環ポンプが必要となるが、一方洗濯機本体をコンパクト化しなければならないという課題もありその結果循環ポンプも小さくせざるを得ず、そのため十分な循環水量を得ることができないという課題があった。また、循環ポンプという新たな構成が必要となる為、複雑な構成となり、生産性や、製造コスト面に課題があった。
【００１０】
本発明は、上記従来の課題を解決するもので、循環ポンプ等を用いることなく外槽内の洗濯水を回転ドラム内に戻すことにより、洗浄力を向上させ、洗いムラを減少させることができる構成を、生産性を低下させること無く、かつ製造コストを低く抑えるドラム式洗濯機を提供することを目的とする。
【課題を解決するための手段】
【００１１】
上記目的を達成するために、本発明のドラム式洗濯機は、洗濯機本体に内包され衣類出入用の第１開口部を有する有底円筒状の水受け槽と、前記水受け槽に回転自在に内包され前記第１開口部に対応して開口する第２開口部と水平方向または水平方向から傾斜した回転軸とを有する有底円筒状の回転ドラムと、前記回転ドラムを回転駆動するモータと、前記水受け槽は、前記回転ドラムの回転に伴って前記水受け槽内を回転する洗濯水が入り込む取水口と、前記取水口と一端が連通する循環水路と、前記循環水路の他端と連通し前記回転ドラム内に洗濯水を吐出する吐出口とを備え、回転ドラム底部の外面側には回転ドラムを回転支持するドラム固定部材と、水受け槽底部側へ形成したリブを有する複数個の略円弧箱型のリブ取付部材とを有し、前記ドラム固定部材には前記リブ取付部材と連結するための延設部を形成し、前記リブ取付部材には前記延設部と連結するための延設リブ部を形成し、前記延設部が前記延設リブ部よりも前記水受け槽の底部側に位置するとともに前記延設リブ部が前記延設部よりも前記第１開口部側に位置するように、前記延設部と前記延設リブ部とを重ねて連結したことにより、回転ドラムの回転に伴って回転する洗濯水の循環水路を構成し、水受け槽に設けた取水口に取り込み、その取水口から取り込んだ洗濯水を吐出口から回転ドラム内部に吐出し、洗濯水を洗濯物にふりかけて循環させる。また、上記循環水路に洗濯水を循環させるポンプ機能を果たす構成を、回転ドラムの裏面に、生産性が高い部材を使用して組み立てがしやすい構造として構成することにより製造コストを低くおさえる。
【発明の効果】
【００１２】
本発明のドラム式洗濯機は、循環ポンプ等を用いることなく水受け槽内の洗濯水を回転ドラム内に循環し、洗濯物にシャワー状にふりかけることにより、洗浄力やすすぎ性能を向上させることができる構成を、回転ドラム外底面に容易かつ確実に製造コストを低く抑えた構成で達成することができる。
【発明を実施するための最良の形態】
【００１３】
第１の発明は、洗濯機本体に内包され衣類出入用の第１開口部を有する有底円筒状の水受け槽と、前記水受け槽に回転自在に内包され前記第１開口部に対応して開口する第２開
口部と水平方向または水平方向から傾斜した回転軸とを有する有底円筒状の回転ドラムと、前記回転ドラムを回転駆動するモータと、前記水受け槽は、前記回転ドラムの回転に伴って前記水受け槽内を回転する洗濯水が入り込む取水口と、前記取水口と一端が連通する循環水路と、前記循環水路の他端と連通し前記回転ドラム内に洗濯水を吐出する吐出口とを備え、回転ドラム底部の外面側には回転ドラムを回転支持するドラム固定部材と、水受け槽底部側へ形成したリブを有する複数個の略円弧箱型のリブ取付部材とを有し、前記ドラム固定部材には前記リブ取付部材と連結するための延設部を形成し、前記リブ取付部材には前記延設部と連結するための延設リブ部を形成し、前記延設部が前記延設リブ部よりも前記水受け槽の底部側に位置するとともに前記延設リブ部が前記延設部よりも前記第１開口部側に位置するように、前記延設部と前記延設リブ部とを重ねて連結したものである。
【００１４】
この構成により、回転ドラムの回転に伴って水受け槽内の洗濯水を回動させ、回転している洗濯水を水受け槽に設けた取水口に取り込み、取水口から取り込んだ洗濯水を吐出口から回転ドラムにシャワー状に戻すことにより、洗濯水が何度も洗濯物にふりかかるため洗濯物に含まれやすくなり、洗浄力を向上させることができるともに洗浄ムラをなくすことができる。
【００１５】
また上記構成により、この回転ドラムとリブ取付部材およびドラム固定部材の組立て構成においては、最初にドラム固定部材を治具等の所定の位置にセットし、次に外槽底部側へ突出したリブを有する略円弧箱型のリブ取付部材を回転ドラムの外周部に略ドーナツ状になるようにセットし、開口部側よりネジ等でドラム固定部材に連結できる。
【００１６】
これにより、回転ドラムをドラム固定部材に上部から取り付けることができるようになるため、ドラム固定部材を反転させることなく回転ドラムの底部外周フランジ部を、ドラム固定部材に装着し、外周部よりネジ等で固着できるので、組立てを円滑に行うことができる。
【００１７】
第２の発明は、延設部はドラム固定部材の側面に形成されるとともに、前記延設部と延設リブ部とが対向する位置になるように配設され、前記延設部に位置決めピンと取り付けネジ用のボス穴をそれぞれ交互に配置し、前記延設リブ部に直径の異なる貫通穴を交互に配置したことにより、略円弧箱型のリブ取付部材の表裏を誤ってドラム固定部材に取り付けようとした際に、略円弧箱型のリブ取付部材の延設リブ部の貫通穴とドラム固定部材の延設部の位置決めピンが干渉するため、組立て間違いを防ぐことができるので自動化組み立て等の生産性向上が図れる。
【００１８】
第３の発明は、リブ取付部材は、外壁に１個または複数個のボス穴を有し、該ボス穴に対応する回転ドラムの外周壁に小孔を設けたもので、回転ドラムの外周面からネジにてドラム固定部材と回転ドラムを取り付ける方向と同方向から、回転ドラムとリブ取付部材を固定できるので、自動化設備の簡略化と生産性を向上させることが出来る。
【００１９】
第４の発明は、リブ取付部材の底部外側平面中央部に凸部を形成し、該凸部を回転ドラム底部に当接せしめるとともに、リブ取付部材の延設リブ部の内周側鉛直壁面部に三角リブを設けて、該三角リブをドラム固定部材にて押圧固定したものである。
【００２０】
これにより略円弧箱型のリブ取付部材の底部の外側平面中央の凸部をドラム底面に当接させて略円弧箱型のリブ部材を撓まし、長手方向の内周側鉛直壁面部に設けた三角リブをドラム底部部材に押圧固定させることで、略円弧箱型のリブ取付部材を回転ドラムとドラム固定部材間で固定することができるので、リブ取付部材とドラム固定部材との組み立てはネジが不要となり自動組み立て等が容易となる。
【００２１】
以下、本発明の実施の形態について、図面を参照しながら説明する。なお、この実施の形態によって本発明が限定されるものではない。
【００２２】
（実施の形態１）
図１は、本発明の実施の形態におけるドラム式洗濯機の縦断面図を示している。図１において、ドラム式洗濯機の本体１内には、有底円筒状の水受け槽６がサスペンション構造（図示せず）によって本体１の正面側から背面側に向かって下向きに傾斜した状態で支持されている。水受け槽６は水受け槽本体２と水受け槽カバー３とで構成され、その接続部分で第１のパッキング部材４を介して水密的に接続固定されている。水受け槽６は、その内側に有底円筒形に形成された回転ドラム５を、その回転軸が本体１の正面側から背面側に向かって下向きに傾斜するように回転自在に支持している。
【００２３】
本体１の正面側には、洗濯物を出し入れするための本体開口部１ａが形成されており、さらにその本体開口部１ａを開閉自在に覆う扉体８が設けられている。
【００２４】
本体開口受け槽カバー３には、本体開口部１ａの対応位置に水受け槽カバー開口部（第１開口部）３ａが設けられており、回転ドラム５には、本体開口部１ａ及び水受け槽カバー開口部３ａの対応位置に、回転ドラム開口部５ａ（第２開口部）が設けられている。この本体開口部１ａ、水受け槽カバー開口部３ａ及び回転ドラム開口部５ａを介して、本体１の外から回転ドラム５内への洗濯物の出し入れを行う。
【００２５】
回転ドラム５は、回転ドラム開口部５ａが設けられた回転ドラム前面部５ｂ、有底円筒状でかつ多数の水抜き用小孔５ｇを有した回転ドラム胴部５ｃ及び底部を構成する回転ドラム底部５ｄより構成され、また回転ドラム胴部５ｃの内面には撹拌突起５ｅが複数個設けられており、水受け槽本体２の水受け槽本体底部２ｃの外方に取り付けられた駆動モータ７によって回転駆動され、その回転速度や左右回転方向は可変である。
【００２６】
第１の給水弁（第１の給水手段）９には、第１給水ホース１０ａの一端が接続され、第１給水ホース１０ａの他端は、注水口金部１０ｂに接続され、前記注水口金部１０ｂは、注水される水が略水平方向に広がりながら回転ドラム５内へ注水されるようスリット状に開口しており、回転ドラム５内に広がるように注水される。
【００２７】
第２の給水弁（第２の給水手段）１１には、第２給水ホース１３ａの一端が接続され、第２給水ホース１３ａの他端は洗剤１３ｂを収納する洗剤ケース１３ｃに接続され、さらに洗剤ケース１３ｃの下部に第３給水ホース１３ｄの一端が接続され、第３給水ホース１３ｄの他端が水受け槽６に接続されて、水受け槽６内に給水できるようにしている。
【００２８】
洗剤ケース１３ｃの上面には、第２給水ホース１３ａにより給水された水を洗剤ケース１３ｃ内へシャワー状に注水する複数の注水穴１３ｅが設けられ、注水穴１３ｅから出たシャワー状の水は洗剤１３ｂの上に落下し、洗剤１３ｂとともに水受け槽６内に流れ落ちる。また、後述する循環水路２８等の吐出口３４は、水受け槽６下方の水受け槽カバー開口部３ａ近傍に構成され、循環水を回転ドラム５および水受け槽６内に吐出するように配され、水受け槽６内へ流れ落ちた洗濯水は、排水行程時に排水管路４２の途中に設けられた排水弁４３が開かれることにより、水受け槽６外へ排水される。
【００２９】
図２は、本発明の実施の形態１におけるドラム式洗濯機の制御装置の構成を示すブロック図である。図２において制御装置１５は、制御手段１６、設定手段１７、記憶手段１８及びパワースイッチング手段１９等から構成される。マイクロコンピュータにより構成される制御手段１６は、設定手段１７から入力される運転コースの選択などの設定入力に応
じて、記憶手段１８に記憶された制御プログラムを用いてパワースイッチング手段１９に制御指令を出力する。パワースイッチング手段１９はＳＣＲ（サイリスタ）等のスイッチング素子を用いて構成されており、制御手段１６からの制御指令に応じて駆動モータ７、給水弁９、１１および排水弁４３などの動作を制御する。
【００３０】
モータ７は例えば直流ブラシレスモータ等で構成され、前記制御手段１６およびパワースイッチング手段１９により正逆回転並びに回転速度可変に制御され、さらに洗濯物の量に応じてモータ７が受ける負荷変化から洗濯物の量を検知する布量検知手段１２、水受け槽６内の洗濯水の水位を検知する水位検知手段１４及び洗濯行程から脱水行程までの運転動作の一連行程は制御装置１５にて制御される。
【００３１】
図３は、本発明の実施の形態１におけるドラム式洗濯機の水受け槽本体２の斜視図である。図４は、同水受け槽カバー３の斜視図である。以下図３、４に従って循環水路の構成を説明する。
【００３２】
水受け槽本体２は、水受け槽本体開口部２ａ、水受け槽本体胴部２ｂおよび水受け槽本体底部２ｃを有する有底円筒型である。
【００３３】
水受け槽本体底部２ｃと水受け槽本体胴部２ｂの境界部の近傍であって水受け槽本体底部２ｃ内面には、略凹状に形成された水受け槽本体底溝部２ｄを、水受け槽本体胴部２ｂと略同心円の円弧状に設けている。水受け槽本体底溝部２ｄには、内面側より水受け槽本体底溝部２ｄに対応した形状の水受け槽本体溝蓋２３が、その外周近傍に設けられた第２のパッキング部材２４を介して外周部をねじ２５にてねじ止め固定されており、この水受け槽本体底溝部２ｄと水受け槽本体溝蓋２３とにより第１の循環水路２２が形成されている。
【００３４】
第１の循環水路２２の一端である取水口２０は、底面が水受け槽本体底溝部２ｄの底面から水受け槽本体底部２ｃの内面まで徐々に変化する案内凹部２１に連通している。また、水受け槽本体２には、その水受け槽本体胴部２ｂの外側に、水受け槽本体開口部２ａから水受け槽本体底部２ｃまで連通するパイプ状の第２の循環水路２６が一体に形成されており、この第２の循環水路２６の水受け槽本体底部２ｃ側の端が第１の循環水路２２の他端に連通している。
【００３５】
図４に従って水受け槽カバー３の構成を説明する。
【００３６】
水受け槽カバー３は、水受け槽カバー開口部３ａが設けられた水受け槽カバー前面部３ｂと、水受け槽カバー胴部３ｃと、水受け槽カバー後方開口部３ｄを有する略円筒状に形成されている。
【００３７】
水受け槽カバー３には、その水受け槽カバー胴部３ｃの外側で、前記第２の循環水路２６に対応する位置に水受け槽カバー後方開口部３ｄから水受け槽カバー前面部３ｂまで連通する第３の循環水路２７が一体に形成されている。
【００３８】
水受け槽カバー前面部３ｂ内面には、略凹状に形成された水受け槽カバー前面溝部３ｅを、水受け槽カバー前面部３ｂの外周側から水受け槽カバー開口部３ａに近づくにつれ、途中で二股に分かれるような略Ｙ字状に設けられている。この水受け槽カバー前面溝部３ｅには、内面側より水受け槽カバー前面溝部３ｅの形状に対応した形状の水受け槽カバー溝蓋２９が、その外周近傍に設けられた第３のパッキング部材３０を介して、外周部をねじ３１にてねじ止め固定されている。この水受け槽カバー前面溝部３ｅと水受け槽カバー溝蓋２９とにより、略Ｙ字状の第４の循環水路２８が形成されている。
【００３９】
第４の循環水路２８の略Ｙ字状の下側端である一端は、第３の循環水路２７の水受け槽カバー前面部３ｂ側の端と連通している。水受け槽カバー溝蓋２９には、二股に分かれた先端部分の近傍に、洗濯水を吐出するための吐出口３４がそれぞれ設けられている。
【００４０】
この構成により、図１に示すように吐出口３４は、水受け槽カバー開口部３ａの外周近傍で、かつ、水受け槽カバー前面部３ｂの内面側であって、回転ドラム開口部５ａ内に面するように配設されている。
【００４１】
また、水受け槽本体２と水受け槽カバー３が接続固定され水受け槽６として本体１に支持された状態において、吐出口３４は、水受け槽カバー前面部３ｂの下半分の部分に位置し、取水口２０より低い位置になるように設けられている。
【００４２】
また、水受け槽本体２と水受け槽カバー３が接続固定された時において、第２の循環水路２６と第３の循環水路２７は、前述した水受け槽本体２と水受け槽カバー３を接続固定する方法と同様にして第１のパッキング部材４を介して水密的に接続固定されている。
【００４３】
図５は、本発明の実施の形態１におけるドラム式洗濯機の回転ドラム底部５ｄの平面図（図１の右方Ａから矢視）であり、図６は、同回転ドラム５の要部縦断面図である。以下図５、６に従い循環水路に洗濯水を循環させるポンプ機能を果たす回転ドラムの構成を説明する。
【００４４】
回転ドラム底部５ｄは、その外周に外側へ突出するフランジ部５ｆを設けることで、略凹状に形成され、回転ドラム胴部５ｃの後端部分と、フランジ部５ｆとを加締または溶接等により連接している。該回転ドラム底部５ｄの外面側のフランジ部５ｆ内方には、３本の延設部３５ａを略放射状に有するアルミダイキャスト製のドラム固定部材３５が設けられるとともに、その３本の延設部３５ａ間にそれぞれ、回転ドラム底部５ｄの外周に沿って略ドーナツ状に、３個の略円弧箱型のリブ取付部材３７が配設されている。
【００４５】
前記３個のリブ取付部材３７は、プラスチック材質の成形加工品等にて構成し外周に後方へ凸の外壁４０および内壁４１を設けることで、略凹状に形成し、その内部に外壁４０と内壁４１とを連結する複数本のリブ３８を外壁４０と内壁４１とほぼ同じ高さで、外周側に放射状に形成するとともに、その円周方向の両端には、該リブ取付部材３７をドラム固定部材３５の延設部３５ａに取り付けるための延設リブ３８ａをそれぞれ設けている。ドラム固定部材３５は、図５に示すように外周方向からのねじ３９ｂにて回転ドラム５と、平面方向からねじ３９ａにてリブ取付部材３７とをそれぞれ固着し、さらにモータ７から延出したシャフト７ａとその中央部分で連結されモータ７の回転を回転ドラム５に伝達している。
【００４６】
以上のように構成されたドラム式洗濯機について、以下その動作及び作用を説明する。
【００４７】
制御手段１６は洗濯行程あるいはすすぎ行程時、モータ７駆動により回転ドラム５を第１の所定回転速度にて回転させるが、この第１の所定回転速度は、回転ドラム５の回転に伴う遠心力により洗濯物が、回転ドラム５の内周面に遠心力で張りつく程度の回転速度（例えば８０ｒ／ｐｍ）に設定する。回転ドラム５の回転により、洗濯水は回転ドラム５の外底部５ｄに設けたリブ３８のポンプ羽根の働きによりかき回され、水受け槽胴部２ｂ、水受け槽本体底部２ｃの境界近傍を回動し、案内凹部２１に導かれて取水口２０に取り込まれ、第１〜第４の循環水路２２、２６、２７、２８、を通り、取水口２０より低い位置に構成された吐出口３４より回転ドラム５内に勢い良く吐出される。
【００４８】
回転ドラム５内の洗濯物は内周面に遠心力にて張りついている為、循環した洗濯水は回転ドラム５の回転ごとに洗濯物にふりそそがれ、遠心力による洗濯水の洗濯物内を透過するいわゆるシャワー洗濯行程の動作ならびに、洗濯物に洗濯水を早期に浸透させることなどが可能となる。
【００４９】
また、回転ドラムの回転速度を、上記第１の所定回転速度（例えば８０ｒ／ｍｉｎ）以下で、遠心力による張り付き力より洗濯物の重力が勝る第２の所定回転速度（例えば４５ｒ／ｍｉｎ）に制御された場合は、洗濯水のかき回し力が低く吐出口３４からの洗濯水の吐出水量は極めて少量か、または吐出量が無い状態となるので、洗濯動作は洗濯物を上方から洗濯水の上面に落下するたたき洗いと同様の動作の、洗濯物をほぐしながらの撹拌洗濯行程となる。
【００５０】
以上のシャワー洗濯行程と、撹拌洗濯行程を組合せれば、洗剤を含む洗濯水をシャワー状に洗濯物にふりかける動作と、絡み合った洗濯物をほぐしながら洗濯水に落下させる撹拌動作とで、効果的な洗濯効果を得る事が出来る。
【００５１】
次に、回転ドラム５、ドラム固定部材３５、リブ取付部材３７の組立方法について説明すると、まず、ドラム固定部材３５を、モータ７側を下にして治具等の所定の台の上にセットする。次に、３個のリブ取付部材３７を、リブ３８が形成された面側を下にし、延設リブ３８ａが延設部３５ａの所定の位置になるようセットし、ねじ３９ａにて締結固定する。
【００５２】
その後、回転ドラム５を、回転ドラム底部５ｄ側を下にして、ドラム固定部材３５の上に所定の周方向でセットし、外側よりフランジ部５ｆを挟むようにして延設部３５ａに設けたねじ穴（図示せず）に外周面からねじ３９ｂを締付固定する。従ってドラム固定部材を反転させることなく、回転ドラムの底部外周フランジ部をドラム固定部材に装着し、外周部よりネジ等で固着するので、組立てを円滑に行うことができ自動化が可能となる。
【００５３】
（実施の形態２）
図７は、本発明の第２の実施の形態におけるドラム式洗濯機の回転ドラムの要部縦断面図である。実施の形態１と同一の構成については同一符号を付し、その説明を省略する。
【００５４】
図７に示すように、ドラム固定部材３５の延設部３５ａには、略円弧箱型のリブ取付部材３７の延設リブ３８ａを保持と固定をするために、円柱状のピン３５ｂとねじ３９ｃの締結用のねじ穴３５ｃを交互に配置し設けている。さらに前記ピン３５ｂならびにねじ穴３５ｃに対応する位置のリブ取付部材３７の延設リブ３８ａには、ピン挿入小孔３８ｂ、ねじ挿入孔３８ｃを形成する。またピン３５ｂの径はねじ３９ｃおよびねじ挿入孔３８ｃより径大に設定する。
【００５５】
以上の構成により、略円弧箱型のリブ取付部材３７の表裏を誤ってドラム固定部材３５に取り付けようとした際に、正しい位置に配置されないと、略円弧箱型のリブ取付部材３７の延設リブ３８ａの貫通穴と、ドラム固定部材３５の延設部３５ａのピン３５ｂが干渉するので容易に判断できる。一方、ピン３５ｂとピン挿入小孔３８ｂとが組み立て時のガイドとなり、組立て間違いを防ぐとともに自動化等の生産性の向上が可能となる。
【００５６】
（実施の形態３）
図８（ａ）は、本発明の第３の実施の形態における略円弧箱型のリブ取付部材３７の外観図であり、図８（ｂ）は同略円弧箱型のリブ取付部材３７の要部断面図である。実施の形態１と同一の構成については同一符号を付し、その説明を省略する。
【００５７】
略円弧箱型のリブ取付部材３７はプラスチック材質の成形加工品等にて構成し、図８（ａ）に示すようにリブ取付部材の外壁４０の一部にはその内側にボス部５０およびボス穴４２を設ける。なお図８（ａ）では前記ボス穴は１箇所であるが複数個形成しても良い。図８（ｂ）の断面図に示すように、前記ボス穴４２の位置に対応して、加締または溶接にて連接した回転ドラム５のフランジ部５ｆおよび回転ドラム胴部５ｃの位置に小孔５１を形成する。なおボス穴４２の径と奥行きとは、外周側から取り付け用のタッピングねじ５２に対応した寸法に設定する。
【００５８】
ここで、回転ドラム５、ドラム固定部材３５、リブ取付部材３７の組立方法について説明する。
【００５９】
まず、ドラム固定部材３５を、モータ側を下にして治具等の所定の台の上にセットし、次に３個のリブ取付部材３７を、リブ３８が形成された面側を下にし、延設リブ３８ａがドラム固定部材３５の延設部３５ａの所定の位置になるようにセットする。その後上部から、回転ドラム５を、底部５ｄ側を下にして、ドラム固定部材３５の上に所定の周方向でセットし、図５の平面図にて示したように回転ドラム胴部５ｃの外周側より延設部３５ａに設けたねじ穴にねじ３９ｂを締め付けて回転ドラム５とドラム固定部材３５とを固着し、さらに図８（ｂ）のように略円弧箱型のリブ取付部材３７の外壁４０に設けたボス穴４２に外周方向からタッピングねじ５２を締め付けてリブ取付部材３７を回転ドラム５に固定する。
【００６０】
これにより図７にて提案された回転軸方向の（鉛直方向の）リブ取付部材３７とドラム固定部材３５ねじ３９ｃは廃止できると共に、図５のねじ３９ｂおよび図８（ｂ）のタッピングねじ５２の組み立てに於いて回転ドラム５と、ドラム固定部材３５およびリブ取付部材３７とを組み立てが一方向の（外周方向からの）作業で可能となり自動化組み立ての設備が簡略化し生産性が向上する。
【００６１】
（実施の形態４）
図９は、本発明の第４の実施の形態におけるドラム式洗濯機の回転ドラム５の要部縦断面図である。実施の形態１と同一の構成は同一符号を付し、その説明を省略する。
【００６２】
略円弧箱型のリブ取付部材３７はプラスチック材質の成形加工品等にて構成し底部外側平面中央部に凸部４３を１個または複数個設け、回転ドラム５底面に強く当接させることによりプラスチック材質等にてなるリブ取付部材３７の可撓性を利用して撓ませ、さらに内周壁４１の鉛直壁面に一体形成した三角リブ４４をドラム固定部材３５に押圧固定させることで両部材間の隙間のがたつき等をなくし、リブ取付部材３７を回転ドラム５とドラム固定部材３５間でビスを使用せずに狭着固定することができる。この構成により、図７にて提案された略円弧箱型のリブ取付部材とドラム固定部材との連結に要したねじ廃止が可能となり、ねじの締付けに要した時間を削減でき自動化が容易に出来る。
【００６３】
（実施の形態５）
図１０は、本発明の第５の実施の形態における回転ドラム５の回転ドラム底部５ｄの外方からの平面図である。
【００６４】
図１０に示すように、これまでは略円弧箱型のリブ取付部材３７として別パーツで形成していた構成を、本実施例ではドラム固定部材４５を例えばアルミダイカスト部材等にて製作し、内周部分に内周壁４６を、外周部分に外周壁４７を一体に形成し、前記内周壁４６と外周壁４７の間に複数条のリブ４８を形成したものである。ドラム固定部材４５はねじ４９にて外周方向より回転ドラム５を固着する。
【００６５】
この構成により、部品点数を大幅に削減できるとともに部品組み立てに要した時間を大幅に削減することができる。
【産業上の利用可能性】
【００６６】
以上のように、本発明にかかるドラム式洗濯機は、循環ポンプを用いずに叩き洗いすることができるため、洗浄力を向上させることができるともに洗浄ムラを減少させることが可能となるので、洗濯機に限らず、回転ドラムを回転させながら洗浄を行う各種機器、装置にも広く適用できるものである。
【図面の簡単な説明】
【００６７】
【図１】本発明の実施の形態１におけるドラム式洗濯機の縦断面図
【図２】同ドラム式洗濯機の制御装置の構成を示すブロック図
【図３】同ドラム式洗濯機水受け槽本体の斜視図
【図４】同ドラム式洗濯機水受け槽カバーの斜視図
【図５】同ドラム式洗濯機の回転ドラムの底部平面図（図１の右方Ａから矢視）
【図６】同ドラム式洗濯機の回転ドラムの要部断面図
【図７】本発明の実施の形態２におけるドラム式洗濯機の回転ドラムの要部断面図
【図８】（ａ）本発明の実施の形態３におけるドラム式洗濯機のリブ取付部材の外観図、（ｂ）同上リブ取付部材の要部断面図
【図９】本発明の実施の形態４におけるドラム式洗濯機回転ドラムの要部断面図
【図１０】本発明の実施の形態５におけるドラム式洗濯機の回転ドラムの底部平面図（図１右方Ａから矢視）
【図１１】従来のドラム式洗濯機の構造を示す縦断面図
【符号の説明】
【００６８】
１    洗濯機本体
３ａ  第１開口部
５    回転ドラム
５ａ  第２開口部
６    水受け槽
７    モータ
２０  取水口
２２  第１の循環水路
２６  第２の循環水路
２７  第３の循環水路
２８  第４の循環水路
３４  吐出口
３５  ドラム固定部材
３７  リブ取付部材
３８  リブ
【図１】
0004710539.tif 000002
【図２】
0004710539.tif 000003
【図３】
0004710539.tif 000004
【図４】
0004710539.tif 000005
【図５】
0004710539.tif 000006
【図６】
0004710539.tif 000007
【図７】
0004710539.tif 000008
【図８】
0004710539.tif 000009
【図９】
0004710539.tif 000010
【図１０】
0004710539.tif 000011
【図１１】
0004710539.tif 000012